(57)【要約】      （修正有）【課題】リンク機構の数を減らすことで製造コストを減少させるとともに戸板のふらつきを防止でき、しかも使い勝手の良いフラット引戸を提供する。【解決手段】第１のレールに支持された第１の戸板２０と、第２のレールに支持されたリンク機構４０と、リンク機構４０に支持された第２の戸板３０と、を備え、第２の戸板３０は、リンク機構４０によって前面方向へ移動可能であり、第１の戸板２０が開き方向に摺動したときに、第１の戸板２０が付勢手段５０の付勢力に抗して第２の戸板３０を前面に押し出す。【選択図】図３
2017020164.tif 000002
【特許請求の範囲】
【請求項１】
閉止状態のときに複数の戸板が面一に並ぶように構成されたフラット引戸であって、
第１のレールと、
前記第１のレールに対して平行に配置された第２のレールと、
前記第１のレールに支持された第１の戸板と、
前記第２のレールに支持されたリンク機構と、
前記リンク機構に支持された第２の戸板と、
前記リンク機構を閉じ付勢する付勢手段と、
を備え、
前記第２の戸板は、前記リンク機構によって前面方向へ移動可能であり、
前記第１の戸板が開き方向に摺動したときに、前記第１の戸板が前記付勢手段の付勢力に抗して前記第２の戸板を前面に押し出すことを特徴とする、フラット引戸。
【請求項２】
前記リンク機構は、前記第２のレールに沿って平行に移動可能な主体部と、前記主体部に揺動可能に取り付けられた揺動節と、を備え、
前記主体部と前記揺動節とを揺動軸を介して揺動可能に連結するとともに、前記揺動節と前記第２の戸板とを回動軸を介して回動可能に連結し、
前記回動軸を、前記揺動軸よりも前記第２の戸板の戸尻側に配置したことを特徴とする、請求項１記載のフラット引戸。
【請求項３】
前記第２の戸板には、召し合せ面から突出するガイドローラが設けられていることを特徴とする、請求項１又は２記載のフラット引戸。
【請求項４】
前記ガイドローラが設けられることで、前記第１の戸板の前面と前記第２の戸板の後面とが接触しないことを特徴とする、請求項３記載のフラット引戸。
【請求項５】
前記第１の戸板及び前記第２の戸板の召し合せ面は互いに平行であり、
前記第１の戸板には、召し合せ面から突出するガイド部が設けられており、
前記ガイド部は、前記ガイドローラに臨む傾斜面を備えることを特徴とする、請求項３又は４記載のフラット引戸。
【請求項６】
前記第１のレールと前記第２のレールとが前後に平行に配置されていることを特徴とする、請求項１〜５のいずれか１項に記載のフラット引戸。
【発明の詳細な説明】
【技術分野】
【０００１】
この発明は、戸板を閉じたときに戸板が面一に並ぶフラット引戸に関する。
【背景技術】
【０００２】
一般的なフラット引戸は、それぞれの戸板に平行リンク機構が設けられており、この平行リンク機構によって戸板を開閉できるようにしている。すなわち、一方の戸板を開き方向に移動させると、当該戸板がリンク機構によって前方にせり出すことで引き違い状態となるように構成されている。
しかし、このような一般的なフラット引戸は、平行リンク機構が戸板と同数だけ必要になるため、製造コストが嵩むという問題があった。
【０００３】
また、このような一般的なフラット引戸においては、引戸を開いたときに２つの平行リンク機構が干渉しないような納まりにする必要がある。具体的には、戸板の戸先側から半分以内の幅に収まるように平行リンク機構を配置する必要がある。このため、平行リンク機構は戸板の戸尻側を保持することができないので、戸板を開閉するときに保持されていない戸尻側がふらつくという問題があった。
【０００４】
これに関し、特許文献１には、直線状に形成されて平行に配置される第一レール及び第二レールと、第一レールに吊り戸車を介して吊持され直線的にスライドする第一戸板と、第二レールに吊り戸車及び平行リンク機構を介して吊持され、前後方向の平行移動を伴ってスライドする第二戸板とを備える発明が開示されている。この発明においては、第一レール及び第二レールは、第二レールを上側にして上下に配置され、第一レールの直下に第一戸板が吊持される。第二戸板は、第二レールを走行する吊り戸車から前方に持ち出して保持される支軸に平行リンク機構を介して連結され、第二戸板も第一レールの直下に吊持可能となる。
【先行技術文献】
【特許文献】
【０００５】
【特許文献１】特開２００６−１０４８９４号公報
【発明の概要】
【発明が解決しようとする課題】
【０００６】
しかし、上記した特許文献１記載の発明は、第一戸板を開き方向に移動させると第二戸板が前にせり出すが、第二戸板を閉じても第二戸板は元に戻らないので、手動で第二戸板を閉じなければならなかった。すなわち、引戸を閉じるために２つの戸板をそれぞれ閉じなければならず、使い勝手が悪いものであった。
【０００７】
そこで、本発明は、リンク機構の数を減らすことで製造コストを減少させるとともに戸板のふらつきを防止でき、しかも使い勝手の良いフラット引戸を提供することを課題とする。
【課題を解決するための手段】
【０００８】
本発明は、上記した課題を解決するためになされたものであり、以下を特徴とする。
【０００９】
請求項１記載の発明は、閉止状態のときに複数の戸板が面一に並ぶように構成されたフラット引戸であって、第１のレールと、前記第１のレールに対して平行に配置された第２のレールと、前記第１のレールに支持された第１の戸板と、前記第２のレールに支持されたリンク機構と、前記リンク機構に支持された第２の戸板と、前記リンク機構を閉じ付勢する付勢手段と、を備え、前記第２の戸板は、前記リンク機構によって前面方向へ移動可能であり、前記第１の戸板が開き方向に摺動したときに、前記第１の戸板が前記付勢手段の付勢力に抗して前記第２の戸板を前面に押し出すことを特徴とする。
【００１０】
請求項２に記載の発明は、上記した請求項１に記載の発明の特徴点に加え、前記リンク機構は、前記第２のレールに沿って平行に移動可能な主体部と、前記主体部に揺動可能に取り付けられた揺動節と、を備え、前記主体部と前記揺動節とを揺動軸を介して揺動可能に連結するとともに、前記揺動節と前記第２の戸板とを回動軸を介して回動可能に連結し、前記回動軸を、前記揺動軸よりも前記第２の戸板の戸尻側に配置したことを特徴とする。
【００１１】
請求項３に記載の発明は、上記した請求項１又は２に記載の発明の特徴点に加え、前記第２の戸板には、召し合せ面から突出するガイドローラが設けられていることを特徴とする。
【００１２】
請求項４に記載の発明は、上記した請求項３に記載の発明の特徴点に加え、前記ガイドローラが設けられることで、前記第１の戸板の前面と前記第２の戸板の後面とが接触しないことを特徴とする。
【００１３】
請求項５に記載の発明は、上記した請求項３又は４記載の発明の特徴点に加え、前記第１の戸板及び前記第２の戸板の召し合せ面は互いに平行であり、前記第１の戸板には、召し合せ面から突出するガイド部が設けられており、前記ガイド部は、前記ガイドローラに臨む傾斜面を備えることを特徴とする。
【００１４】
請求項６に記載の発明は、上記した請求項１〜５のいずれかに記載の発明の特徴点に加え、前記第１のレールと前記第２のレールとが前後に平行に配置されていることを特徴とする。
【発明の効果】
【００１５】
請求項１に記載の発明は上記の通りであり、第１のレールに支持された第１の戸板と、第２のレールに支持されたリンク機構と、前記リンク機構に支持された第２の戸板と、を備え、前記第２の戸板は、前記リンク機構によって前面方向へ移動可能であり、前記第１の戸板が開き方向に摺動したときに、前記第１の戸板が前記第２の戸板を前面に押し出す構造となっている。このような構造によれば、第１の戸板にはリンク機構が設けられていないので、リンク機構の数を減らすことで製造コストを減少させるとともに戸板のふらつきを防止することができる。
【００１６】
しかも、前記リンク機構を閉じ付勢する付勢手段を備えているので、前方へ押し出された第２の戸板は付勢手段によって後面側に付勢されている。この状態で第１の戸板が閉じられると、第２の戸板が付勢手段によって自動的に後面方向へと移動し、第１の戸板と第２の戸板とが面一に並んだ閉止状態に戻る。すなわち、手動で第２の戸板を閉じる必要がないので、使い勝手が良い。
【００１７】
また、請求項２に記載の発明は上記の通りであり、前記主体部と前記揺動節とを揺動軸を介して揺動可能に連結するとともに、前記揺動節と前記第２の戸板とを回動軸を介して回動可能に連結し、前記回動軸を、前記揺動軸よりも前記第２の戸板の戸尻側に配置した。このような構成によれば、第１の戸板の戸尻を押し当てることによって第２の戸板が前方へ押し出されるときに、第２の戸板が戸先側に回動しつつ前方へ押し出される。このため、第１の戸板の移動方向と第２の戸板の移動方向とが一致するので、小さい力でスムーズに開閉動作を行うことができる。なお、一般的なフラット引戸を開くときには、戸板は戸尻側（引戸を開く方向）に回動しつつ前方へ移動する。しかしながら、本発明はあえてこのような一般的な構造とは異なる構造を採用することで、戸板をスムーズに開閉できる構造を実現している。
【００１８】
また、請求項３に記載の発明は上記の通りであり、前記第２の戸板には、召し合せ面から突出するガイドローラが設けられている。このような構成によれば、第１の戸板が第２の戸板を前面に押し出す動きをスムーズとすることができるので、少ない力で引戸を開けることができ、使い勝手が良い。
【００１９】
また、請求項４に記載の発明は上記の通りであり、前記ガイドローラが設けられることで、前記第１の戸板の前面と前記第２の戸板の後面とが接触しないようになっている。このような構成によれば、第１の戸板と第２の戸板とが引き違いになった状態において、摺動抵抗を小さくすることができるので少ない力で引戸を開閉することができ、使い勝手が良い。また、戸板の表面に傷が付くなどの問題も発生しない。
【００２０】
また、請求項５に記載の発明は上記の通りであり、前記第１の戸板及び前記第２の戸板の召し合せ面は互いに平行であり、前記第１の戸板には、召し合せ面から突出するガイド部が設けられており、前記ガイド部は、前記ガイドローラに臨む傾斜面を備える。このような構成によれば、特許文献１記載の発明のように戸板の召し合せ部分を斜めにしなくてもスムーズに第２の戸板を前方に持ち出すことができる。また、戸板を特殊な形状とする必要がないので、製造コストを下げるとともに、すっきりとした意匠を実現することができる。
【００２１】
また、請求項６に記載の発明は上記の通りであり、前記第１のレールと前記第２のレールとが前後に平行に配置されている。このような構成によれば、フラット引戸を収納に使用した場合に容積を大きく取ることができる。
【図面の簡単な説明】
【００２２】
【図１】フラット引戸を備えた収納家具の外観図である。
【図２】閉止状態のフラット引戸を側方から見た図である。
【図３】（ａ）閉止状態のフラット引戸を上から見た図、（ｂ）召し合せ部分の一部拡大図である。
【図４】第１の戸板を開く様子を示す説明図である。
【図５】第１の戸板を途中まで開いた状態のフラット引戸を上から見た図である。
【図６】第２の戸板を開く様子を示す説明図である。
【図７】第２の戸板を途中まで開いた状態のフラット引戸を上から見た図である。
【図８】変形例に係るフラット引戸を備えた収納家具の外観図である。
【発明を実施するための形態】
【００２３】
本発明の実施形態について、図を参照しながら説明する。なお、下記説明においては、主にフラット引戸１１の上部構造（上レール付近）について説明する。フラット引戸１１の下部構造（下レール付近）は上部構造と対称であるため、重複する記載を避け、下部構造についての説明は一部を省略する。
【００２４】
本実施形態に係るフラット引戸１１は、例えば図１に示すような収納家具１０の前面に配置され、閉止状態のときに複数の戸板２０，３０が面一に並ぶように構成されている。このフラット引戸１１は、第１の戸板２０と第２の戸板３０との２枚の戸板を備えており、第１の戸板２０は直接第１のレール１２に摺動可能に支持されるとともに、第２の戸板３０はリンク機構４０を介して第２のレール１３に摺動可能に支持されている。第２の戸板３０はリンク機構４０によって前方にせり出すことができるようになっており、これにより第１の戸板２０と第２の戸板３０とが互いに引き違い状態となるように構成されている。なお、第１の戸板２０及び第２の戸板３０には、戸先側に取っ手２０ａ，３０ａが設けられており、この取っ手２０ａ，３０ａを持って開き方向に戸板２０，３０を摺動させることができるようになっている。
【００２５】
第１のレール１２及び第２のレール１３は、それぞれ上下一対のレールであり、戸板２０，３０の開閉方向に延設されている。この第１のレール１２と第２のレール１３とは、図２に示すように、前後（奥行方向）に平行に配置されている。このため、２つのレールを上下に配置した場合と比較してレール全体の高さが低く抑えられており、収納家具１０の開口部と収容空間を大きく確保できるようになっている。
【００２６】
第１のレール１２は、第１の戸板２０を摺動可能に支持するためのものであり、後述する第１の戸板２０の転動ローラ２２を係合させる突条部１２ａを備えている。この突条部１２ａは第１のレール１２の全長に渡って形成されている。
【００２７】
第２のレール１３は、リンク機構４０を摺動可能に支持するためのものであり、後述するリンク機構４０の転動ローラ４７を係合させる突条部１３ａを備えている。この突条部１３ａは第２のレール１３の全長に渡って形成されている。また、この第２のレール１３は、突条部１３ａと平行に設けられた副ローラ支持部１３ｂを備えており、突条部１３ａと副ローラ支持部１３ｂとでリンク機構４０の摺動をガイドするようになっている。
【００２８】
第１の戸板２０の上下端部付近には、図２等に示すように、裏面側に突出したＬ字形の支持棒２１が固定されており、この支持棒２１の先端に転動ローラ２２が設けられている。転動ローラ２２は、支持棒２１に固定された転動軸２３を中心に回転自在に設けられている。転動ローラ２２の周面には溝が形成されており、この溝が第１のレール１２の突条部１２ａに係合している。これにより、第１の戸板２０は第１のレール１２に沿ってスムーズに移動できるようになっている。
【００２９】
本実施形態に係る第１の戸板２０は、枠材を四方枠組みして構成されており、上枠と下枠には図３（ｂ）に示すような突出部２４が設けられている。この突出部２４は、第１の戸板２０の上下端面から突出した薄肉板状の部位であり、第１の戸板２０の見付方向全長に渡って形成されている。この突出部２４は、後述するガイドローラ３４及び副ガイドローラ３５に臨む高さに設けられており、ガイドローラ３４及び副ガイドローラ３５が突出部２４の前面を転動できるようになっている。
【００３０】
また、この突出部２４の内側には、図３（ｂ）に示すようなガイド部２５が取り付けられている。このガイド部２５は、後述するガイドローラ３４を転動させるための部材であり、例えば樹脂製のプレートで形成される。このガイド部２５は、第１の戸板２０の上面及び下面に固定され、第１の戸板２０の召し合せ面２０ｂから突出するように取り付けられている。このように召し合せ面２０ｂから突出した部分は召し合せ面２０ｂに対して斜めになっており、ガイドローラ３４に臨む傾斜面２５ａを形成している。この傾斜面２５ａは、端縁にＲ形状部２５ｂが形成されており、このＲ形状部２５ｂによって段差なく突出部２４の前面に連続している。このため、傾斜面２５ａにガイドローラ３４を押し付ける力が働いて傾斜面２５ａ上をガイドローラ３４が転動したときに、ガイドローラ３４がＲ形状部２５ｂを通ってスムーズに突出部２４の前面へと転動するようになっている。このように、同じ高さで配置された傾斜面２５ａとＲ形状部２５ｂと突出部２４とによってガイドローラ３４のガイド面が形成されている。
【００３１】
なお、本実施形態に係る第１の戸板２０及び第２の戸板３０の召し合せ面２０ｂ，３０ｂは、図３に示すように、互いに平行である。そして、この互いに平行な召し合せ面２０ｂ，３０ｂから、それぞれガイドローラ３４とガイド部２５とが突出するようになっている。ガイドローラ３４とガイド部２５とは戸板２０，３０の上下端部に取り付けられているため、ほとんど目立たない。しかも、ガイド部２５は正面視で突出部２４の裏側に配置されており、ガイド部２５の高さは突出部２４の高さよりも低いため、ガイド部２５は正面からほとんど視認できない。よって、閉止状態のときに戸板２０，３０が面一に並ぶだけでなく、召し合せ面２０ｂ，３０ｂが平行であり、ガイドローラ３４やガイド部２５も目立たないので、すっきりとした意匠のフラット引戸１１となっている。
【００３２】
第２の戸板３０の上下端部には、図２に示すように、略Ｌ字形の支持アーム３２が固定されている。この支持アーム３２は、第２の戸板３０に接続される接続部３２ａと、接続部３２ａの端部から垂直方向に延びる回動支持部３２ｃと、を備える。回動支持部３２ｃは、回動軸３３によって、リンク機構４０に回動自在に連結されている。
【００３３】
この第２の戸板３０には、図３に示すように、召し合せ面３０ｂから突出するガイドローラ３４が設けられている。このガイドローラ３４は、第１の戸板２０または第２の戸板３０が開き方向に移動したときにガイド部２５に押し付けられるローラ部材である。このガイドローラ３４がガイド部２５の表面を転動することで、第１の戸板２０または第２の戸板３０を開き方向に移動させたときの力を、第２の戸板３０を前面にせり出させる力にスムーズに変換できるようになっている。このガイドローラ３４は、第２の戸板３０の上面及び下面に取り付けられ、水平方向に回転自在となっている。
【００３４】
なお、このガイドローラ３４は、図３等に示すように、第２の戸板３０の後面３０ｃからも突出している。また、この第２の戸板３０は、ガイドローラ３４とは別に副ガイドローラ３５を備えている。副ガイドローラ３５は、ガイドローラ３４よりも戸先側に配置され、第２の戸板３０の後面３０ｃから突出している。この副ガイドローラ３５も、第２の戸板３０の上面及び下面に取り付けられ、水平方向に回転自在となっている。このガイドローラ３４及び副ガイドローラ３５は、第１の戸板２０の突出部２４に臨むように配置されている。このため、第２の戸板３０が前面にせり出して第１の戸板２０と引き違い状態になったときには、ガイドローラ３４及び副ガイドローラ３５が第１の戸板２０の突出部２４に沿って転動する。このため、第１の戸板２０の前面と第２の戸板３０の後面とが直接接触することがなく、戸板２０，３０に傷が付くことがない。また、ガイドローラ３４及び副ガイドローラ３５が摺動抵抗を低減させるので、戸板２０，３０の移動もスムーズである。
【００３５】
リンク機構４０は、第２の戸板３０を前方にせり出させるための機構であり、図２及び図３に示すように、メインプレート４１（請求項の「主体部」に相当）と、メインプレート４１に揺動可能に取り付けられた２枚の揺動プレート４３（請求項の「揺動節」に相当）と、２枚の揺動プレート４３を連結するプレート連結部材４４と、メインプレート４１に固定されて第２のレール１３に係合するレール係合部４５と、を備える。
【００３６】
メインプレート４１は、第２のレール１３に沿って平行に移動可能な板状部材であり、図３に示すように、後述する付勢手段５０の一端を係合させるためのバネ係合部４１ａと、２枚の揺動プレート４３を揺動可能に支持するための２つの揺動軸４１ｂと、２枚の揺動プレート４３の揺動範囲を規制するための２本のガイドピン４１ｃと、を備える。
【００３７】
揺動プレート４３は、揺動軸４１ｂを介してメインプレート４１に揺動可能に取り付けられている。この揺動プレート４３は、上記したガイドピン４１ｃに係合するガイド溝４３ａを備えている。このガイド溝４３ａは、揺動軸４１ｂを中心とした円弧状に形成されている。このため、揺動プレート４３は、このガイド溝４３ａの範囲で揺動軸４１ｂを中心として揺動できるようになっている。また、揺動プレート４３は、回動軸３３によって、第２の戸板３０の支持アーム３２と回動可能に連結されている。これにより、揺動プレート４３が揺動したときでも、その角度変化を回動軸３３で吸収し、第２の戸板３０が常にメインプレート４１と平行を保つようになっている。なお、回動軸３３の端部は、かしめられて支持アーム３２に固定されている。
【００３８】
プレート連結部材４４は、揺動プレート４３のガイド溝４３ａ付近に回動可能に取り付けられる長尺部材である。プレート連結部材４４の一端部が一方の揺動プレート４３に固定され、プレート連結部材４４の他端部が他方の揺動プレート４３に固定される。これにより、２つの揺動プレート４３が連動して揺動するようになっている。このプレート連結部材４４には、後述する付勢手段５０の端部を係合させるためのバネ係合部４４ａが設けられている。
【００３９】
レール係合部４５は、図２に示すように、リンク機構４０を第２のレール１３に沿って摺動させるための構造である。このレール係合部４５は、メインプレート４１に固定された軸支持部４６と、軸支持部４６に回転可能に支持された転動軸４７ａと、転動軸４７ａを中心に回転する転動ローラ４７と、軸支持部４６に回転可能に支持された副ローラ軸４８ａと、副ローラ軸４８ａを中心に回転する副ローラ４８と、を備える。転動ローラ４７の周面には溝が形成されており、この溝が第２のレール１３の突条部１３ａに係合している。これにより、リンク機構４０は第２のレール１３に沿ってスムーズに移動できるようになっている。また、副ローラ４８は、突条部１３ａに対向して設けられた副ローラ支持部１３ｂに支持されている。これにより、リンク機構４０の摺動が左右二箇所でガイドされるようになっており、片持ち形状のリンク機構４０に負荷がかかった場合でもスムーズに摺動がガイドされるようになっている。
【００４０】
上記したリンク機構４０は、通常時は、図２及び図３に示すように付勢手段５０によって閉じ付勢されている。本実施形態に係る付勢手段５０は、一端がメインプレート４１のバネ係合部４１ａに係合し、他端がプレート連結部材４４のバネ係合部４４ａに係合する引っ張りバネである。この付勢手段５０によりリンク機構４０が閉じ付勢されることで、第２の戸板３０は後面方向へ付勢されている。このため、第１の戸板２０と第２の戸板３０とが横並びになると、図３に示すように、第２の戸板３０が後面方向に納まり、戸板２０，３０が面一に並ぶようになる。
【００４１】
上記したフラット引戸１１の第１の戸板２０を開放するときには、図４に示すように、第１の戸板２０の取っ手２０ａを持って、そのまま開き方向（図５における右方向）に摺動させればよい。第１の戸板２０を摺動させると、図５及び図６に示すように、ガイド部２５の傾斜面２５ａによってガイドローラ３４が前面方向に押し出されるので、付勢手段５０の付勢力に抗して第２の戸板３０が前面に押し出される。これにより、第１の戸板２０と第２の戸板３０とが引き違い状態となるので、第１の戸板２０を開放することができる。
【００４２】
ガイド部２５の傾斜面２５ａによってガイドローラ３４が前面方向に押し出されるときには、図５に示すように、揺動プレート４３が揺動軸４１ｂを中心に揺動する。揺動プレート４３が揺動することで、回動軸３３が前面方向に持ち出され、回動軸３３に支持された支持アーム３２及び第２の戸板３０も一緒に前面方向に持ち出される。本実施形態に係るリンク機構４０は平行リンク機構であるため、第２の戸板３０は第１の戸板２０と平行を保ったままで前面方向に持ち出される。このように第１の戸板２０と第２の戸板３０とが引き違い状態となると、第２の戸板３０は付勢手段５０によって常に後面方向に付勢される。
【００４３】
しかも本実施形態においては、回動軸３３が揺動軸４１ｂよりも第２の戸板３０の戸尻側に配置されている。このため、第１の戸板２０によって第２の戸板３０が押し出されるときに、第２の戸板３０は僅かに戸先側（図５における右側）に移動しつつ前方に押し出される。このため、第１の戸板２０及び第２の戸板３０がいずれも図５における右方向に移動するので、第２の戸板３０が第１の戸板２０の動きを妨げず、スムーズな動きとなっている。
【００４４】
なお、従来のフラット引戸では、例えば特許文献１に記載されているように、回動軸３３が揺動軸４１ｂよりも第２の戸板３０の戸先側に配置されていた。このような構成を採用した場合、第１の戸板２０によって第２の戸板３０が押し出されるときに、第２の戸板３０は僅かに戸尻側（図５における左側）に移動しつつ前方に押し出されることになる。このため、第１の戸板２０は右方向に、第２の戸板３０は左方向に移動することとになり、第２の戸板３０が第１の戸板２０の動きを妨げてしまう。本実施形態は、このような従来の構造の問題点を解決し、スムーズに戸を開くことができるものである。
【００４５】
開放した第１の戸板２０を閉める場合には、第１の戸板２０を閉じ方向（図５における左方向）に摺動させる。第１の戸板２０が閉じた状態になると、第２の戸板３０を前面に押し出していた係合が解除されるので、付勢手段５０の付勢力によって第２の戸板３０が自動的に後面方向に戻り、図１に示すようなフラットな閉止状態となる。
【００４６】
また、上記したフラット引戸１１の第２の戸板３０を開放するときには、図６に示すように、第２の戸板３０の取っ手３０ａを持って、やや手前方向に引き上げるようにして、そのまま開き方向（図７における左方向）に摺動させればよい。第２の戸板３０を手前方向に引き上げると、リンク機構４０が作動して第２の戸板３０が前面方向に持ち出される。この状態で第２の戸板３０を摺動させると、図７に示すように、ガイド部２５の傾斜面２５ａにガイドローラ３４が乗り上げるので、付勢手段５０の付勢力に抗して第２の戸板３０が前面に押し出される。これにより、第１の戸板２０と第２の戸板３０とが引き違い状態となるので、第２の戸板３０を開放することができる。この場合も、第２の戸板３０は付勢手段５０によって常に後面方向に付勢される。
【００４７】
開放した第２の戸板３０を閉める場合には、第２の戸板３０を閉じ方向（図７における右方向）に摺動させる。第１の戸板２０と第２の戸板３０とが横並びになるまで摺動させると、付勢手段５０の付勢力によって第２の戸板３０が勝手に後面方向に戻り、図１に示すようなフラットな閉止状態となる。
【００４８】
以上説明したように、本実施形態によれば、第１のレール１２に支持された第１の戸板２０と、第２のレール１３に支持されたリンク機構４０と、前記リンク機構４０に支持された第２の戸板３０と、を備え、前記第２の戸板３０は、前記リンク機構４０によって前面方向へ移動可能であり、前記第１の戸板２０が開き方向に摺動したときに、前記第１の戸板２０が前記第２の戸板３０を前面に押し出す構造となっている。このような構造によれば、第１の戸板２０にはリンク機構４０が設けられていないので、リンク機構４０の数を減らすことで製造コストを減少させるとともに戸板２０，３０のふらつきを防止することができる。
【００４９】
しかも、前記リンク機構４０を閉じ付勢する付勢手段５０を備えているので、前方へ押し出された第２の戸板３０は付勢手段５０によって後面側に付勢されている。この状態で第１の戸板２０が閉じられると、第２の戸板３０が付勢手段５０によって自動的に後面方向へと移動し、第１の戸板２０と第２の戸板３０とが面一に並んだ閉止状態に戻る。すなわち、手動で第２の戸板３０を閉じる必要がないので、使い勝手が良い。
【００５０】
また、メインプレート４１と揺動プレート４３とを揺動軸４１ｂを介して揺動可能に連結するとともに、揺動プレート４３と第２の戸板３０とを回動軸３３を介して回動可能に連結し、前記回動軸３３を、前記揺動軸４１ｂよりも前記第２の戸板３０の戸尻側に配置した。このような構成によれば、第１の戸板２０の戸尻を押し当てることによって第２の戸板３０が前方へ押し出されるときに、第２の戸板３０が戸先側に回動しつつ前方へ押し出される。このため、第１の戸板２０の移動方向と第２の戸板３０の移動方向とが一致するので、小さい力でスムーズに開閉動作を行うことができる。
【００５１】
また、前記第２の戸板３０には、召し合せ面３０ｂから突出するガイドローラ３４が設けられている。このような構成によれば、第１の戸板２０が第２の戸板３０を前面に押し出す動きをスムーズとすることができるので、少ない力で引戸を開けることができ、使い勝手が良い。
【００５２】
また、前記ガイドローラ３４が設けられることで、前記第１の戸板２０の前面と前記第２の戸板３０の後面とが接触しないようになっている。このような構成によれば、第１の戸板２０と第２の戸板３０とが引き違いになった状態において、摺動抵抗を小さくすることができるので少ない力で引戸を開閉することができ、使い勝手が良い。また、戸板２０，３０の表面に傷が付くなどの問題も発生しない。
【００５３】
また、前記第１の戸板２０及び前記第２の戸板３０の召し合せ面２０ｂ，３０ｂは互いに平行であり、前記第１の戸板２０には、召し合せ面２０ｂから突出するガイド部２５が設けられており、前記ガイド部２５は、前記ガイドローラ３４に臨む傾斜面２５ａを備える。このような構成によれば、戸板２０，３０の召し合せ部分を斜めにしなくてもスムーズに第２の戸板３０を前方に持ち出すことができる。また、戸板２０，３０を特殊な形状とする必要がないので、製造コストを下げるとともに、すっきりとした意匠を実現することができる。
【００５４】
また、前記第１のレール１２と前記第２のレール１３とが前後に平行に配置されている。このような構成によれば、フラット引戸１１を収納に使用した場合に容積を大きく取ることができる。
【００５５】
なお、上記した実施形態においては２枚の戸板２０，３０を備えたフラット引戸１１について説明したが、本発明の実施形態はこれに限らず、図８（ａ）に示すように、３枚の戸板２０，３０，６０を設けるようにしてもよい。この場合、追加した第３の戸板６０にも、第２の戸板３０と同様のリンク機構４０を取り付ければよい。また、図８（ｂ）に示すように、４枚の戸板２０，３０，６０，６１を設けるようにしてもよい。この場合、追加した第４の戸板６１にも、第２の戸板３０と同様のリンク機構４０を取り付ければよい。
【符号の説明】
【００５６】
１０  収納家具
１１  フラット引戸
１２  第１のレール
１２ａ  突条部
１３  第２のレール
１３ａ  突条部
１３ｂ  副ローラ支持部
２０  第１の戸板
２０ａ  取っ手
２０ｂ  召し合せ面
２１  支持棒
２２  転動ローラ
２３  転動軸
２４  突出部
２５  ガイド部
２５ａ  傾斜面
２５ｂ  Ｒ形状部
３０  第２の戸板
３０ａ  取っ手
３０ｂ  召し合せ面
３０ｃ  後面
３２  支持アーム
３２ａ  接続部
３２ｃ  回動支持部
３３  回動軸
３４  ガイドローラ
３５  副ガイドローラ
４０  リンク機構
４１  メインプレート
４１ａ  バネ係合部
４１ｂ  揺動軸
４１ｃ  ガイドピン
４３  揺動プレート
４３ａ  ガイド溝
４４  プレート連結部材
４４ａ  バネ係合部
４５  レール係合部
４６  軸支持部
４７  転動ローラ
４７ａ  転動軸
４８  副ローラ
４８ａ  副ローラ軸
５０  付勢手段
６０  第３の戸板
６１  第４の戸板
【図１】
2017020164.tif 000003
【図２】
2017020164.tif 000004
【図３】
2017020164.tif 000005
【図４】
2017020164.tif 000006
【図５】
2017020164.tif 000007
【図６】
2017020164.tif 000008
【図７】
2017020164.tif 000009
【図８】
2017020164.tif 000010